Podtech/llm-jp-corpus-v4-ja_patent huggingface dataset:
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
中間層によって隔てられた上部プレートおよび下部プレートを備えるフラットベッドプリンタ用のテーブルであって、
前記中間層は、前記上部プレートと前記下部プレートとの間の熱伝達を促進するために、前記上部プレートの近傍の位置と前記下部プレートの近傍の位置との間を交互に移動する流体の流れを促進する流体流路を内部に有するように構成されている
テーブル。
【請求項２】
前記流体流路は、実質的に当該テーブルの平面内の流体の流れを促進する
請求項１に記載のフラットベッドプリンタ用のテーブル。
【請求項３】
前記流体流路は、前記上部プレートの近傍の位置と前記下部プレートの近傍の位置との間の乱流を促進する
請求項１または２に記載のフラットベッドプリンタ用のテーブル。
【請求項４】
前記流体流路は、前記中間層における複数の穴によって形成される
請求項１〜３のいずれかに記載のフラットベッドプリンタ用のテーブル。
【請求項５】
前記上部プレートは、複数の負圧孔を備えており、前記流体流路は、該孔のうちの少なくとも１つからの空気流路を含む
請求項１〜４のいずれかに記載のテーブル。
【請求項６】
前記テーブルの少なくとも１つの辺の近傍に流体引き出し位置を有しており、
前記流体流路は、前記流体引き出し位置へと向かう経路を含んでいる
請求項１〜５のいずれかに記載のテーブル。
【請求項７】
前記中間層内に流体の流れを生じさせるように構成された再循環ファンを備える
請求項１〜６のいずれかに記載のテーブル。
【請求項８】
前記中間層は、前記プレート間を延びる薄板材料の壁から形成された複数のスペーサ部材を含んでいる
請求項１〜７のいずれかに記載のテーブル。
【請求項９】
前記流体流路は、前記スペーサ部材の穴によって形成されている
請求項８に記載のテーブル。
【請求項１０】
前記中間層は、複数のセルを含む格子構造を備える
請求項１〜９のいずれかに記載のテーブル。
【請求項１１】
各セルの少なくとも１つの壁に穴が設けられている
請求項１０に記載のテーブル。
【請求項１２】
前記穴は、前記流れの方向に実質的に平行な方向において交互に前記上部および下部プレートの近傍に位置するように配置されている
請求項９〜１１のいずれかに記載のテーブル。
【請求項１３】
前記穴は、前記プレートから流体への熱伝達を促進するために、前記壁の上部および下部のそれぞれに密接して設けられている
請求項１２に記載のテーブル。
【請求項１４】
上部および下部プレートを両者の間に配置された中間層とともに有する印刷テーブルに使用するための前記中間層を製造する方法であって、
平坦な変形可能材料からなる複数の細長い層を、各層の一部分を隣の層へと取り付け、かつ各層の一部分は取り付けずに、積み重ねて配置するステップと、
前記層の前記取り付けられた部分の間において、前記細長い層の長さに沿って間隔を開けつつ、前記層の積み重ねを貫く穴の形成を、第１の複数の穴が前記細長い層の一方の辺の近傍に形成され、第２の複数の穴が前記細長い層の他方の辺の近傍に形成されるように行うステップと、
前記材料からなる層の前記取り付けられていない部分を引き離すことで、前記層の積み重ねから複数のセルを備える格子構造体を形成するステップとを含む
方法。
【請求項１５】
前記格子構造体の各セルの少なくとも１つの壁に穴が形成される
請求項１４に記載の方法。
【請求項１６】
前記第１の複数の穴は、前記第２の複数の穴と交互に配置されている
請求項１４または１５に記載の方法。
【請求項１７】
前記穴の位置は、前記層の前記取り付けられた部分に対して位置決めされている
請求項１４〜１６のいずれかに記載の方法。
【請求項１８】
上部プレートを前記格子構造体のある面へと取り付けるステップをさらに含む
請求項１４〜１７のいずれかに記載の方法。
【請求項１９】
前記上部プレートに複数の穴を形成するステップをさらに含み、
前記複数の穴は、前記上部プレートの表面の少なくとも一部分について配置されている
請求項１４〜１８のいずれかに記載の方法。
【請求項２０】
下部プレートを前記格子構造体の反対側の面へと取り付けるステップをさらに含む
請求項１８または１９に記載の方法。
【請求項２１】
前記層の積み重ねにおける隣同士の層は、前記細長い層の長さに沿って周期的な間隔で位置する取り付け位置において取り付けられている
請求項１４〜２０のいずれかに記載の方法。
【請求項２２】
第１の組の層の間の前記取り付け位置は、次の組の層の間の前記取り付け位置に対してずらされている
請求項２１に記載の方法。
【請求項２３】
前記層の積み重ねにおける隣同士の層は、前記細長い層の長さに対して垂直に配置された接着剤の帯を使用して取り付けられる
請求項１４〜２２のいずれかに記載の方法。
【請求項２４】
前記接着剤の帯は、規則的な縞模様にて配置され、第１の組の層の間の縞模様は、次の組の層の間の縞模様に対してずらされている
請求項２３に記載の方法。
【請求項２５】
前記格子構造体の前記穴を通って流体を引き込むために前記格子構造体の一辺に負圧源を取り付けるステップをさらに含む
請求項１４〜２４のいずれかに記載の方法。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
組織切除フードであって、
開口部を有する先端部分と、
基端部分と、
前記基端部分と前記先端部分との間に画定される空洞であって、前記基端部分がシースの端に連結されるように構成された開口部を画定する、空洞と、
前記先端部分の開口部を横断するように構成された切断部材と、
前記空洞内に受けられる組織の量を制御するように構成された機構と、
を含む組織切除フード。
【請求項２】
前記機構が前記空洞の寸法を制御する、請求項１に記載の組織切除フード。
【請求項３】
前記機構が、前記空洞に加えられる調節可能な吸引である、請求項１に記載の組織切除フード。
【請求項４】
前記機構が、前記空洞内に配置された調節可能構造である、請求項１に記載の組織切除フード。
【請求項５】
前記機構が膨張可能である、請求項１に記載の組織切除フード。
【請求項６】
前記機構が機械的に拡張可能である、請求項１に記載の組織切除フード。
【請求項７】
前記先端部分の開口部が少なくとも１つの直線的な縁を含む、請求項１に記載の組織切除フード。
【請求項８】
前記切断部材が、前記先端部分の開口部を先端部から基端部へと横断するように構成される、請求項１に記載の組織切除フード。
【請求項９】
前記空洞の基端部が、前記切断部材と当接するように構成されたストッパを含む、請求項１に記載の組織切除フード。
【請求項１０】
医療装置であって、
基端部と、先端部と、それらの間に延びるルーメンと、を有するシースと、
前記シースの先端部分に連結されたフードであって、
開口部を有する先端部分と、
基端部分と、
前記基端部分と前記先端部分との間に画定される空洞であって、前記基端部分が前記シースの先端部に連結されるように構成された開口部を画定する、空洞と、
前記先端部分の開口部を横断するように構成された切断部材と、
前記空洞内に受けられる組織の量を調節するように構成された機構と、を含むフードと、
を含む医療装置。
【請求項１１】
前記機構が前記空洞の寸法を制御する、請求項１０に記載の医療装置。
【請求項１２】
前記機構が、前記空洞に加えられる調節可能な吸引である、請求項１０に記載の医療装置。
【請求項１３】
前記機構が、前記空洞内に配置された調節可能構造である、請求項１０に記載の医療装置。
【請求項１４】
前記機構が、前記開口部に対して移動するように構成される、請求項１０に記載の医療装置。
【請求項１５】
前記機構が膨張可能である、請求項１０に記載の医療装置。
【請求項１６】
前記先端部分の開口部が少なくとも１つの直線的な縁を含む、請求項１０に記載の医療装置。
【請求項１７】
前記切断部材が、前記開口部を先端部から基端部へと横断するように構成される、請求項１０に記載の医療装置。
【手続補正２】
【補正対象書類名】明細書
【補正対象項目名】発明の名称
【補正方法】変更
【補正の内容】
【発明の名称】組織切除フードおよびフードを含む医療装置
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
注射可能な酸素感受性薬物用の医薬包装システムであって、該包装システムは：
（ｉ）不活性条件下で注射可能な酸素感受性薬物を充填したシリンジであって、該シリンジは、酸素透過性の先端キャップを有する、シリンジ、
（ｉｉ）シリンジを収容する密封された酸素不透過性ブリスター包装であって、該ブリスター包装は、エチレン／ビニルアルコール（ＥＶＯＨ）を含む複数の層の下網と、アルミニウム箔又はＥＶＯＨを含む複数の層の上網の蓋とを含む、ブリスター包装；及び
（ｉｉｉ）酸素吸収剤であって、酸素吸収剤は、包装を組み立ててから、ブリスター包装において約１乃至３日で、及びシリンジにおいて約１乃至３ヵ月で、存在する酸素のレベルを約０パーセントにまで減少させる、酸素吸収剤
を含む、医薬包装システム。
【請求項２】
シリンジはプラスチック又はガラスである、ことを特徴とする請求項１に記載の医薬包装システム。
【請求項３】
ブリスター包装は、アルミニウムベースで冷間成形されたブリスター、又は成型されたブリスターである、ことを特徴とする請求項１に記載の医薬包装システム。
【請求項４】
酸素吸収剤はブリスター包装の内部に配される、ことを特徴とする請求項１に記載の医薬包装システム。
【請求項５】
酸素吸収剤はキャニスターである、ことを特徴とする請求項１に記載の医薬包装システム。
【請求項６】
酸素吸収剤は、１気圧で約３０ｃｃの酸素を吸収する容量を有する、ことを特徴とする請求項１に記載の医薬包装システム。
【請求項７】
酸素吸収剤は鉄をベースとする、ことを特徴とする請求項１に記載の医薬包装システム。
【請求項８】
酸素吸収剤は、包装を組み立ててから、約１日でブリスター包装中の酸素のレベルを約０パーセントにまで減少させる、ことを特徴とする請求項１に記載の医薬包装システム。
【請求項９】
酸素吸収剤は、包装を組み立ててから、約１ヵ月でシリンジ中の酸素のレベルを約０パーセントにまで減少させる、ことを特徴とする請求項１に記載の医薬包装システム。
【請求項１０】
ブリスター包装は、熱形成されたブリスターである、ことを特徴とする請求項１に記載の医薬包装システム。
【請求項１１】
酸素吸収剤は、還元鉄化合物、カテコール、アスコルビン酸及びそのアナログ、金属リガンド、不飽和炭化水素、及びポリアミドから成る群から選択される、ことを特徴とする請求項１に記載の医薬包装システム。
【請求項１２】
酸素感受性薬物は、モルヒネ、ヒドロモルフォン、プロメタジン、ドーパミン、エピネフリン、ノルエピネフリン、エストロゲンエステル、エフェドリン、シュードエフェドリン、アセトアミノフェン、イブプロフェン、ダノフロキサシン、エリスロマイシン、ペニシリン、シクロスポリン、メチルドーペート、セチリジン、ジルチアゼム、ベラパミル、メキシレチン、クロロチアジド、カルバマゼピン、セレギリン、オキシブチニン、ビタミンＡ、ビタミンＢ、ビタミンＣ、Ｌ−システイン、及びＬ−トリプトファンから成る群から選択される、ことを特徴とする請求項１に記載の医薬包装システム。
【請求項１３】
注射可能な酸素感受性薬物はモルヒネである、ことを特徴とする請求項１２に記載の医薬包装システム。
【請求項１４】
注射可能な酸素感受性薬物はヒドロモルフォンである、ことを特徴とする請求項１２に記載の医薬包装システム。
【請求項１５】
注射可能な酸素感受性薬物はプロメタジンである、ことを特徴とする請求項１２に記載の医薬包装システム。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
少なくとも１つの式（ＩＶ）：
−Ｇａｌ−Ｓｉａ−Ｃ（Ｈ）＝Ｎ−Ｑ−ＣＯＮ−Ｘ    （ＩＶ）
［式中、
Ａ）Ｑは、ＮＨまたはＯであり、
Ｂ）ＣＯＮは、接続部分であり、
Ｃ）Ｘは、エフェクター部分であり、
Ｄ）Ｇａｌは、ガラクトース由来の構成成分であり、
Ｅ）Ｓｉａは、シアル酸由来の構成成分であり、
Ｓｉａは、存在または非存在である］
部分を含む、少なくとも１つの修飾グリカンを含む結合性ポリペプチド。
【請求項２】
場合により、修飾グリカンは二分岐グリカンであり、
場合により、修飾グリカンは、抗体またはその抗原結合性フラグメントに対してＮ結合しており、および
場合により、ヒトであるＦｃドメインを含む、
請求項１に記載の結合性ポリペプチド。
【請求項３】
前記修飾グリカンは、少なくとも２つの式（ＩＶ）部分を含み、Ｓｉａは、２つの部分のうち１つのみに存在するか、または２つの部分の両方に存在する、請求項１に記載の結合性ポリペプチド。
【請求項４】
結合性ポリペプチドはＦｃドメインを含み、そしてここで
修飾グリカンは、場合によりＥＵナンバリングによるＦｃドメインのアミノ酸２９７位または２９８位のアスパラギン残基を介して結合性ポリペプチドに対してＮ結合しており、および
結合性ポリペプチドは、場合によりＣＨ１ドメインを含み、修飾グリカンは、場合によりＫａｂａｔナンバリングによるＣＨ１ドメインのアミノ酸１１４位のアスパラギン残基を介して結合性ポリペプチドに対してＮ結合している、
請求項１〜３のいずれか１項に記載の結合性ポリペプチド。
【請求項５】
エフェクター部分は、場合により表１に列挙した細胞毒からなる群から選択される細胞毒である、請求項１〜４のいずれか１項に記載の結合性ポリペプチド。
【請求項６】
エフェクター部分は、場合により検出剤または標的化部分であり、ここで標的化部分は、場合により糖ペプチド、または場合によりグリカンである炭水化物であり、
接続部分は、場合により、ｐＨ感受性のリンカー、ジスルフィドリンカー、酵素感受性のリンカー、または他の切断可能なリンカー部分を含み、そして
接続部分は、表２または１４に示すリンカー部分の群から場合により選択されるリンカー部分を含む、
請求項１〜５のいずれか１項に記載の結合性ポリペプチド。
【請求項７】
抗体またはイムノアドヘシンである、請求項１〜６のいずれか１項に記載の結合性ポリペプチド。
【請求項８】
請求項１〜７のいずれか１項に記載の結合性ポリペプチド、および薬学的に許容される担体または賦形剤を含む、組成物。
【請求項９】
場合により、治療用または診断用のエフェクター部分の、結合性ポリペプチドに対する比率は４未満、または２であり、そして場合により、医薬として使用される、請求項８に記載の組成物。
【請求項１０】
請求項１〜７のいずれか１項に記載の結合性ポリペプチドをコードする、単離されたポリヌクレオチド。
【請求項１１】
請求項１０に記載のポリヌクレオチドを含むベクター。
【請求項１２】
請求項１０または１１に記載のポリヌクレオチドまたはベクターを含む宿主細胞。
【請求項１３】
請求項１〜７のいずれか１項に記載の結合性ポリペプチドを作製する方法であって、式（Ｉ）：
ＮＨ2−Ｑ−ＣＯＮ−Ｘ       （Ｉ）
［式中、
Ａ）Ｑは、ＮＨまたはＯであり、
Ｂ）ＣＯＮは、接続部分であり、
Ｃ）Ｘは、エフェクター部分である］
のエフェクター部分を、酸化されたグリカンを含む変更された結合性ポリペプチドと反応させることを含む、前記方法。
【請求項１４】
酸化されたグリカンを含む変更された結合性ポリペプチドは、場合により、グリカンを含む結合性ポリペプチドを、穏やかな酸化剤と反応させることによって産生され、ここで穏やかな酸化剤は、場合により過ヨウ素酸ナトリウムまたはガラクトースオキシダーゼであり、そして場合により１ｍＭ未満の過ヨウ素酸ナトリウムを用いる、請求項１３に記載の方法。
【請求項１５】
グリカンを含む結合性ポリペプチドは、１つまたは２つの末端シアル酸残基を含み、場合により、末端シアル酸残基は、結合性ポリペプチドを、シアリルトランスフェラーゼ、またはシアリルトランスフェラーゼとガラクトシルトランスフェラーゼとの組合せで処理することにより導入される、請求項１３または１４に記載の方法。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
ＣＨ１ドメインを含む単離された結合性ポリペプチドであって、ＣＨ１ドメインが、Ｋａｂａｔナンバリングによるアミノ酸１１４位にアスパラギン残基を含む、前記結合性ポリペプチド。
【請求項２】
ＣＨ１ドメインは、Ｋａｂａｔのナンバリングによる１１５位にプロリン以外のあらゆるアミノ酸残基、およびＫａｂａｔのナンバリングによる１１６位にセリンまたはスレオニン残基をさらに含む、請求項１に記載の結合性ポリペプチド。
【請求項３】
ＣＨ１ドメインは、ＩｇＧ１のＣＨ１ドメイン、またはそのバリアントであり、および場合によりＩｇＧ１のＣＨ１ドメインまたはそのバリアントはヒトである、請求項１または２に記載の結合性ポリペプチド
【請求項４】
アスパラギン残基の側鎖は、β−グリコシルアミド結合によってグリカンに連結している、請求項１〜３のいずれか１項に記載の結合性ポリペプチド。
【請求項５】
以下の条件：
ａ）グリカンは、二分岐グリカンである；
ｂ）グリカンは、天然に存在する哺乳動物の糖型である；
ｃ）グリカンは、反応性アルデヒド基を含む；
ｄ）グリカンは、反応性アルデヒド基を含む酸化された糖残基を含む；および
ｅ）グリカンは、エフェクター部分に連結している；
の１つまたはそれ以上を充たす、請求項４に記載の結合性ポリペプチド。
【請求項６】
以下の条件：
ａ）酸化された糖残基は、末端のシアル酸またはガラクトースである；
ｂ）エフェクター部分は、細胞毒である；
ｃ）エフェクター部分は、検出剤である；
ｄ）エフェクター部分は、標的化部分である；および
ｅ）エフェクター部分は、グリカンの糖残基にオキシムまたはヒドラゾン結合によって
連結している；
の１つまたはそれ以上を充たす、請求項５に記載の結合性ポリペプチド。
【請求項７】
以下の条件：
ａ）細胞毒は、表１に列挙する細胞毒からなる群から選択される；
ｂ）標的化部分は、炭水化物または糖ペプチドである；
ｃ）標的化部分は、グリカンである；
ｄ）糖は、グリカンの末端のシアル酸またはガラクトース残基である；
ｅ）エフェクター部分は、ｐＨ感受性リンカー、ジスルフィドリンカー、酵素感受性リンカー、または他の切断可能なリンカー部分を含む；および
ｆ）エフェクター部分は、表２または１４に示すリンカー部分の群から選択されるリンカー部分を含む；
の１つまたはそれ以上を充たす、請求項６に記載の結合性ポリペプチド。
【請求項８】
ＣＨ１ドメインを含む単離された結合性ポリペプチドであって、ＣＨ１ドメインは、Ｋａｂａｔナンバリングによるアミノ酸１１４位に遊離のアスパラギン残基を含む、前記結合性ポリペプチド。
【請求項９】
ＣＨ１ドメインを含む単離された結合性ポリペプチドであって、ＣＨ１ドメインは、Ｋａｂａｔのナンバリングによるアミノ酸１１４位に修飾されたアスパラギン残基を含み、前記アスパラギン残基はエフェクター部分に連結している、前記結合性ポリペプチド。
【請求項１０】
以下の条件：
ａ）エフェクター部分は、修飾アスパラギン残基の側鎖によってグリカンの糖残基に連結されている；
ｂ）糖は、グリカンの末端のシアル酸またはガラクトース残基である；
ｃ）エフェクター部分は、オキシムまたはヒドラゾン結合によってグリカンの糖残基に連結されている； および
ｄ）糖は、グリカンの末端のシアル酸またはガラクトース残基である；
の１つまたはそれ以上を充たす、請求項９に記載の結合性ポリペプチド。
【請求項１１】
抗体、またはそのフラグメントもしくは誘導体であり、結合性ポリペプチドは、場合により薬物エフェクター部分に連結して抗体薬物コンジュゲート（ＡＤＣ）を形成する、請求項１〜１０のいずれか１項に記載の結合性ポリペプチド。
【請求項１２】
請求項１〜１１のいずれか１項に記載の結合性ポリペプチド、および薬学的に許容される担体または賦形剤を含む、組成物。
【請求項１３】
医薬として使用する、有効量の請求項１２の組成物。
【請求項１４】
請求項１〜１３のいずれか１項に記載の結合性ポリペプチドをコードする、単離されたポリヌクレオチドであって、該単離されたポリヌクレオチドは、場合によりベクター内に含まれ、そして該ベクターは場合により宿主細胞内に含まれる、上記単離されたポリヌクレオチド。
【請求項１５】
請求項１４に記載のポリヌクレオチドまたはベクターを細胞中で発現させることを含む、結合性ポリペプチドを作製する方法。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
Ｒ型高分子量（ｈｍｗ）バクテリオシンをコードする単離された核酸分子であって、核酸分子が、クロストリジウム・ディフィシル菌の第一菌株のゲノム由来であり、及び以下：
配列番号６６−７７をコードする第二ポリヌクレオチドに少なくとも８０％同一である第一ポリヌクレオチド配列であって、ここで前記核酸分子がさらに、クロストリジウム・ディフィシル菌の第二菌株のゲノム由来のプロファージまたはプロファージ残余物の受容体結合ドメイン（ＲＢＤ）またはクロストリジウム・ディフィシル菌に感染するバクテリオファージのＲＢＤをコードする異種配列を含む、第一ポリヌクレオチド配列を含み、
ここで、前記Ｒ型ｈｍｗバクテリオシンが、ポリペプチドの配列番号７８に少なくとも８０％同一である第一基板接合領域（ＢＰＡＲ）ポリペプチドのアミノ末端部の少なくとも５０個の連続アミノ酸、及び前記ＲＢＤに同族の第二ＢＰＡＲのＣ末端部を少なくともコードする第三ポリヌクレオチドを含み、及び、
ここで、前記Ｒ型ｈｍｗバクテリオシンが、クロストリジウム・ディフィシル菌の少なくとも一つに殺菌活性を持つ、核酸分子。
【請求項２】
前記ＲＢＤが、配列番号９２、９４、９６、９８、１００、１０２、１０４、１０６、
１０８、１１０、１１２、および１１６から成る遺伝子群から選ばれるＲＢＤに少なくとも８０％同一である、請求項１に記載の核酸分子。
【請求項３】
前記第三ポリヌクレオチドが、そのＲＢＤの同族ＢＰＡＲの全ての部分をコードする、
請求項１に記載の核酸分子。
【請求項４】
ＲＢＤの同族ＢＰＡＲの全ての部分をコードする前記第三ポリヌクレオチドが、核酸分子に挿入され、そのためＲＢＤの同族ＢＰＡＲのＣ末端が、第一ＢＰＡＲのアミノ末端部に融合されている、請求項１に記載の核酸分子。
【請求項５】
ＲＢＤの同族ＢＰＡＲのＣ末端部をコードする前記第三ポリヌクレオチドが、配列番号８８、９１、９３、９５、９７、９９、１０１、１０３、１０５、１０７、１０９、１１１、および１１５からなる遺伝子群から選ばれる配列に少なくとも８０％同一であるＢＰＡＲをコードする配列から成る、請求項１に記載の核酸分子。
【請求項６】
ＲＢＤの同族シャペロンをコードする第四ポリヌクレオチドからさらに成る、請求項１に記載の核酸分子。
【請求項７】
前記同族シャペロンが、配列番号８９、９０、１１３、１１４、および１１７から成る遺伝子群から選ばれる、請求項６に記載の核酸分子。
【請求項８】
請求項１に記載の核酸分子からなる発現カセット。
【請求項９】
Ｒ型高分子量（ｈｍｗ）バクテリオシンの前記発現カセットが誘導的または抑制的である、請求項８に記載の発現カセット。
【請求項１０】
発現が、低分子の誘導因子（インデューサー）または抑制解除因子（デリプレッサー）
に誘導される、請求項９に記載の発現カセット。
【請求項１１】
前記低分子のインデューサーまたはデリプレッサーが、活性酸素種（ＲＯＳ）またはＲＯＳの発生体である請求項１０に記載の発現カセット。
【請求項１２】
前記ＲＯＳが、ヒトまたは他の動物に対して無毒の過酸化物である、請求項１１に記載の発現カセット。
【請求項１３】
前記過酸化物が過酸化水素である、請求項１２に記載の発現カセット。
【請求項１４】
請求項１のポリヌクレオチドによりコードされるＲ型ｈｍｗバクテリオシン。
【請求項１５】
バクテリオシンが動物に経口投与でき、そして殺菌活性が依然として存在している形態で糞に排泄されうる、請求項１４に記載のＲ型ｈｍｗバクテリオシン。
【請求項１６】
バクテリオシンが、ｐＨ２．５からｐＨ１０の間において、２５℃、３０分間の培養後もある殺菌活性を残している、請求項１４に記載のＲ型ｈｍｗバクテリオシン。
【請求項１７】
バクテリオシンが、４５℃、３０分間の培養後もある殺菌活性を残している、請求項１４に記載のＲ型ｈｍｗバクテリオシン。
【請求項１８】
Ｒ型ｈｍｗバクテリオシンの産生法であって、請求項１に従う核酸分子から成るプロデューサー細胞の暴露から成り、誘導プロモーターに遺伝子組換えで結合し、Ｒ型ｈｍｗバクテリオシンの発現を誘導するのに効果的な濃度で誘導剤に結合し、それによってＲ型ｈｍｗバクテリオシンを産生する、方法。
【請求項１９】
Ｒ型ｈｍｗバクテリオシンをコードする核酸分子が、プロデューサー細胞のゲノムに対して異種であり、及び当該核酸分子が、当該プロデューサー細胞の染色体に含まれ、または当該プロデューサー細胞の染色体外発現ベクターに含まれる、請求項１８に記載の方法。
【請求項２０】
前記プロデューサー細胞が、非病原性でかつ偏性嫌気性細菌ではない、請求項１８に記載の方法。
【請求項２１】
前記非病原性でかつ偏性嫌気性ではない細菌が、枯草菌、乳酸菌、乳酸球菌、及びリステリア菌からなる群から選ばれる細菌の遺伝子由来の種である、請求項２０に記載の方法。
【請求項２２】
前記細菌種が枯草菌である、請求項２１に記載の方法。
【請求項２３】
前記枯草菌が、Ｒ型ｈｍｗバクテリオシンの産生のために誘導された時に溶解しない、
請求項２２に記載の方法。
【請求項２４】
請求項１４のＲ型ｈｍｗバクテリオシンの有効量を含む、病原性クロストリジウム・ディフィシル菌の殺菌のための医薬組成物であって、当該組成物は病原性クロストリジウム・ディフィシル菌と接触され、それによって当該Ｒ型ｈｍｗバクテリオシンが、当該病原性クロストリジウム・ディフィシル菌と結合し及び死滅させる、医薬組成物。
【請求項２５】
クロストリジウム・ディフィシル菌の殺菌方法であって、病原性クロストリジウム・ディフィシル菌をＲ型ｈｍｗバクテリオシンの殺菌量と接触させることを含み、当該病原性クロストリジウム・ディフィシル菌がヒトを除く動物の体内にあり、Ｒ型ｈｍｗバクテリオシンの殺菌量が当該動物に投与される、方法。
【請求項２６】
前記動物がヒトを除く哺乳動物である、請求項２５に記載の方法。
【請求項２７】
請求項１に従う核酸分子を含むプロデューサー細胞量を含む、動物におけるクロストリジウム・ディフィシル菌感染の治療するための医薬組成物であって、当該組成物がそれを必要としている動物に投与されて、バクテリオシンの殺菌量を産生する、医薬組成物。
【請求項２８】
請求項１４に記載のＲ型バクテリオシン及び医薬的に許容されるキャリアを含む、医薬組成物。
【請求項２９】
ＲＢＤが、クロストリジウム・ディフィシル菌の第二株に感染するバクテリオファージ由来である、請求項１に記載の核酸分子。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
プールヒト免疫グロブリンＧ（ＩｇＧ）を含む組成物の治療有効量を対象の脳へ送達することを含む、治療が必要な対象における中枢神経系（ＣＮＳ）障害の治療方法であって、
前記脳への前記組成物の送達が、前記対象の鼻上皮へ直接、前記組成物を鼻腔内投与することを含む、前記方法。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
器官培養された皮膚同等物を凍結保存して生育可能な組織を維持する方法であって、
ａ）器官培養された皮膚同等物を、１工程で凍結防止剤溶液中で処理すること；
ｂ）前記器官培養された皮膚同等物を包装して、包装された皮膚同等物を提供すること；及び
ｃ）前記包装された器官培養皮膚同等物を凍結させて、凍結保存された皮膚同等物を提供すること、
を含み、
前記凍結防止剤は、好ましくは、体積基準で溶液の約２１％〜約７０％含む溶液で提供されているか、及び／又はグリセロールであり、
前記包装は、好ましくは、無菌バッグ中に前記凍結保存された皮膚同等物を封入し、前記無菌バッグを第２のバッグ中に封入することを更に含み、
前記凍結は、好ましくは、実質的に過剰な凍結防止剤の非存在下で、前記器官培養された皮膚同等物を凍結させることを更に含む、方法。
【請求項２】
前記凍結が、約−８０℃における凍結、又は約−５０℃〜−１００℃の温度に直接曝露することを更に含む、請求項１に記載の方法。
【請求項３】
前記器官培養された皮膚同等物が、ＮＩＫＳ細胞を含み、前記ＮＩＫＳ細胞は、好ましくは、外因性ポリペプチドをコードする外因性核酸配列を含む、請求項１に記載の方法。
【請求項４】
前記皮膚同等物が、解凍後に生育可能性を保持しており、前記凍結保存された皮膚同等物は、好ましくは、ＭＴＴアッセイによって測定した場合に、基準皮膚同等物の少なくとも５０％のＡ５５０を有する、請求項１に記載の方法。
【請求項５】
患者に適用する前に、凍結保存された皮膚同等物を解凍する方法であって：
前記凍結保存された皮膚同等物を温めること；及び
拡散による前記凍結防止剤溶液の除去を可能にする組織適合性溶液、好ましくは緩衝化されている組織適合性溶液、を含む拡散媒介物と、前記凍結保存された皮膚同等物とを接触させること、
を含み、
前記温めることが、好ましくは、使用現場で室温に曝露することを含む、方法。
【請求項６】
前記拡散媒介物が、
前記組織適合性媒体を含んでいるＴｅｌｆａパッド、発泡体パッド、ガーゼパッド、及びセルロースパッドから成る群より好ましく選択される、吸収媒体、
膜、並びに
透析バッグから成る群より選択される請求項５に記載の方法。
【請求項７】
凍結防止剤と平衡させた凍結保存された皮膚同等物であって、前記皮膚同等物の外面上に過剰な凍結防止剤が実質的に存在していない、皮膚同等物。
【請求項８】
吸収媒体上に配置された請求項７の皮膚同等物を含む、システム。
【請求項９】
創傷の治療における使用のための、請求項７の包装された凍結保存皮膚同等物であって、
前記皮膚同等物が創傷と接触するような条件下で前記創傷に対して前記皮膚同等物を適用することを目的とする、凍結保存皮膚同等物。
【請求項１０】
凍結保存された皮膚代用物、拡散媒体、及び組織適合性溶液を含む、キット。
【請求項１１】
前記凍結保存された皮膚代用物を、密封可能な封入体中に包装するか、又はバック中に包装された培養容器の中に提供する、請求項１０に記載のキット。
【請求項１２】
前記培養皿の画定された上下の位置の間で移動可能な細胞培養基材を含む培養皿を提供すること、
前記上の位置にある前記細胞培養基材の上に皮膚同等物を形成すること、
更なる加工のために前記下の位置まで前記細胞培養基材を下げること、
を含む、方法。
【請求項１３】
前記更なる加工が、凍結防止剤溶液で前記皮膚同等物を処理することを含み、好ましくは更に、前記培養皿において前記処理された皮膚同等物を凍結させることを含む、請求項１２に記載の方法。
【請求項１４】
凍結保存された皮膚同等物を製造する方法であって：
前記培養皿において上下の位置の間で移動可能なインサートを含む培養皿を提供すること、前記インサートは多孔質膜から形成される底平面を有する、
前記インサート中の前記多孔質膜上に線維芽細胞を含む真皮同等物を形成すること、ここで前記インサートは前記培養皿において前記上の位置に配置される、
前記線維芽細胞を培養して真皮同等物を形成すること、
前記真皮同等物に対してケラチノサイトを適用すること、
前記ケラチノサイトが重層上皮を含む皮膚同等物を形成するような条件下で、培地で前記ケラチノサイトを培養すること、
前記培地を除去すること、
前記下の位置まで前記インサートを下げること、
前記皮膚同等物を凍結防止剤溶液で処理すること、及び
前記培養皿において前記皮膚同等物を凍結させること、
を含む、方法。
【請求項１５】
請求項１にしたがって製造された、患者の治療における使用のための、包装された凍結保存皮膚同等物であって、
前記患者に適用する前に、前記凍結保存皮膚同等物は、
ａ）解凍されており、かつすすがれていないか；又は
ｂ）温められており、前記包装から無菌的に移動させられており、かつ拡散による前記凍結防止剤溶液の除去を可能にするために、組織適合性溶液を含む吸収媒体と、前記凍結保存された皮膚同等物とを接触させられている、凍結保存皮膚同等物。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
ａ）標的核酸を、メチル化特異的検出試薬で処理すること、
ｂ）前記標的核酸内の複数の核酸セグメントを同時に増幅して、複数のアンプリコンを生成すること、および
ｃ）前記複数のアンプリコンを検出すること
を含む方法。
【請求項２】
前記標的核酸が、遺伝子のプロモーター領域である、請求項１に記載の方法。
【請求項３】
前記メチル化特異的検出試薬が、亜硫酸水素塩である、請求項１または２に記載の方法。
【請求項４】
前記同時増幅を、単一反応容器で実施する、請求項１から３のいずれか一項に記載の方法。
【請求項５】
前記標的核酸が、ＣｐＧアイランドを含む、請求項１から４のいずれか一項に記載の方法。
【請求項６】
前記検出が、リアルタイムＰＣＲ増幅および検出を含む、請求項１から５のいずれか一項に記載の方法。
【請求項７】
前記検出が、質量分析、配列決定およびハイブリダイゼーションからなる群から選択される核酸検出技術を含む、請求項１から５のいずれか一項に記載の方法。
【請求項８】
前記複数のアンプリコンが少なくとも５個または１０個のアンプリコンを含む、請求項１から７のいずれか一項に記載の方法。
【請求項９】
核酸を増幅する方法であって、
ａ）メチル化特異的検出試薬で処理した標的核酸内の複数の核酸セグメントを同時に増幅して、複数のアンプリコンを生成すること、および
ｂ）前記複数のアンプリコンを検出すること
を含む、核酸を増幅する方法。
【請求項１０】
ａ）メチル化特異的検出試薬で標的核酸を処理すること、
ｂ）前記標的核酸内の複数の核酸セグメントを同時に増幅して、複数のアンプリコンを生成すること、および
ｃ）前記アンプリコンを複数の核酸プローブと接触させて、前記複数のアンプリコンを検出すること
を含む方法。
【請求項１１】
ａ）標的核酸の増幅のための複数のプライマーペア、
ｂ）前記複数のプライマーペアで増幅されたアンプリコンに特異的に結合する複数の核酸プローブ、および
ｃ）メチル化特異的検出試薬
を含むキット。
【請求項１２】
検出可能な標識を含む、請求項１１に記載のキット。
【請求項１３】
前記プローブが同じ標識を含む、請求項１２に記載のキット。
【請求項１４】
前記標識が蛍光標識である、請求項１２または１３に記載のキット。
【請求項１５】
前記メチル化特異的試薬が亜硫酸水素塩である、請求項１１から１４のいずれか一項に記載のキット。
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク中の送信器ノードによって動作可能な方法であって、
集約MACプロトコルデータユニット(A-MPDU)を含むデータ伝送をデータアグリゲーションモードで送るステップと、
前記ネットワーク中の潜在的なショート干渉バーストを検出するステップであって、前記潜在的なショート干渉バーストを検出するステップが、パケットエラーレート(PER)閾値を超えるデータ伝送用のPER、および、受信信号強度インジケータ(RSSI)閾値を下回るRSSIを検出するステップを含む、ステップと、
フレーム間間隔によって分離された連続的データパケットバーストを含む前記データ伝送をデータバーストモードで再送するステップとを含む、方法。
【請求項２】
前記フレーム間間隔が、短縮フレーム間間隔(RIFS)またはショートフレーム間間隔(SIFS)のうちの1つである、請求項1に記載の方法。
【請求項３】
前記PER閾値および前記RSSI閾値のうちの少なくとも1つが、前記データ伝送の物理層(PHY)レートの関数である、または、前記PER閾値および前記RSSI閾値のうちの少なくとも1つが、前記データ伝送の変調および符号スキーム(MCS)の関数である、請求項1に記載の方法。
【請求項４】
前記潜在的なショート干渉バーストを検出するステップが、PER閾値を超える前記データ伝送用の前記PER、および、受信信号強度インジケータ(RSSI)閾値を超える前記RSSIを検出するステップを含む、請求項1に記載の方法。
【請求項５】
検出されるPERを低減するように制御ループを適合させるステップをさらに含む、請求項1に記載の方法。
【請求項６】
前記制御ループを適合させるステップが、
前記フレーム間間隔を適合させる、またはデータパケットバーストサイズを適合させるステップと、
前記連続的データパケットバースト間に前記適合させたフレーム間間隔を用いて、または前記適合させたデータバーストサイズを用いて、前記データバーストモードで前記データ伝送を再送するステップとを含む、請求項5に記載の方法。
【請求項７】
前記適合させたデータパケットバーストサイズを用いた前記データ伝送の再送によって、前記検出されるPERが低減されるかどうかを判断するステップをさらに含む、請求項6に記載の方法。
【請求項８】
前記制御ループを適合させるステップが、前記ショート干渉バーストに関連するパケットエラーにより、データパケットバーストを送る際に使用される、物理層(PHY)レート、または変調および符号スキーム(MCS)のうち少なくとも1つを適合させないステップを含む、請求項5に記載の方法。
【請求項９】
前記潜在的なショート干渉バーストを検出するステップが、前記データアグリゲーションモードを介して受信器ノードへの前記データ伝送の送達失敗を検出するステップを含み、前記送達失敗を検出するステップが、前記受信器ノードから肯定応答(ACK)を受信しないステップを含む、請求項1に記載の方法。
【請求項１０】
前記潜在的なショート干渉バーストを検出するステップが、閾値を超える衝突レートを検出する、または閾値を超える干渉レベルを測定するステップを含む、または
前記ネットワークが、Wi-Fiネットワークを含む、あるいは
前記送信器ノードが、前記ネットワーク内のモバイルステーション(STA)およびアクセスポイント(AP)のうちの1つを含む、請求項1に記載の方法。
【請求項１１】
ワイヤレス通信ネットワーク中の受信器ノードによって動作可能な方法であって、
集約MACプロトコルデータユニット(A-MPDU)を含むデータ伝送をデータアグリゲーションモードで受信するステップと、
潜在的なショート干渉バーストであって、前記潜在的なショート干渉バーストを検出することが、パケットエラーレート(PER)閾値を超えるデータ伝送用のPER、および、受信信号強度インジケータ(RSSI)閾値を下回るRSSIを検出することを含む、潜在的なショート干渉バーストが前記ネットワーク中に検出されることに応答して、フレーム間間隔によって分離された連続的データパケットバーストを含む前記データ伝送をデータバーストモードで再受信するステップとを含む、方法。
【請求項１２】
送信器ノードから前記データバーストモードで前記データ伝送を送るように、前記送信器ノードに対してリクエストを送るステップ、および前記送信器ノードに、前記フレーム間間隔のパラメータを送るステップをさらに含む、請求項11に記載の方法。
【請求項１３】
送信器ノードに、パケットエラーレート(PER)、干渉レベル、バースト長さ、またはデューティサイクルのうちの少なくとも1つに関するフィードバック情報を送るステップをさらに含む、または
前記フレーム間間隔が、短縮フレーム間間隔(RIFS)またはショートフレーム間間隔(SIFS)のうちの1つを含む、または
前記ネットワークが、Wi-Fiネットワークを含む、あるいは
前記受信器ノードが、前記ネットワーク内のモバイルステーション(STA)およびアクセスポイント(AP)のうちの1つを含む、請求項11に記載の方法。
【請求項１４】
請求項1に記載の方法を実行するための手段を備える送信器ノード、または請求項11に記載の方法を実行するための手段を備える受信器ノード。
【請求項１５】
プロセッサによって実行されると、請求項1〜11のいずれか一項に記載の方法を実行する命令を備えるコンピュータプログラム。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
複数のカメラのセンササンプリングを適合的に調節する方法であって、
カメラに、あるサンプリングレートでサンプリングさせるステップであって、前記カメラは、前記複数のカメラのうちの1つであり、前記複数のカメラは、モバイルデバイスと通信可能に結合される、ステップと、
センサ入力に基づいて、前記モバイルデバイスのユーザのコンテキストを判定するステップと、
連続して取得された画像の変化から動きを検出するステップと、
前記検出された動きに基づき、前記複数のカメラから他のカメラを選択するステップと、
前記判定された前記ユーザのコンテキストに基づいて、前記サンプリングレートを調整するステップと
を含む、方法。
【請求項２】
前記カメラに、前記サンプリングレートでサンプリングさせるステップが、前記カメラの前記選択に基づく、請求項1に記載の方法。
【請求項３】
前記判定するステップが、
前記モバイルデバイスの位置もしくは座標、
前記モバイルデバイスの前記ユーザに対する、前記モバイルデバイスの位置、
前記モバイルデバイスの前記ユーザが従事している活動、
前記モバイルデバイスの関連場所、または
前記モバイルデバイスの環境変化
の少なくとも1つを判定するステップを含む、請求項2に記載の方法。
【請求項４】
前記ユーザの前記コンテキストを判定するステップが、前記ユーザが次の活動リスト、すなわち、会議中、電話中、一人でいる、テレビを見ている、娯楽中、読書中、筆記中、人と会っている、画面を見ている、プレゼンテーション中、食事中、買い物中、調理中、会話中、運動中、音楽を聞いている、または睡眠中から選択された少なくとも1つの活動に関与していることを判定するステップを含む、請求項1に記載の方法。
【請求項５】
前記サンプリングレートが、デフォルトレートを含み、
前記調整するステップが、他の場合には前記デフォルトレートに従ってサンプリングされることになる1つまたは複数のサンプルを抑制するステップを含む、
請求項1に記載の方法。
【請求項６】
建物案内図に基づいて、前記ユーザの前記コンテキストを判定するステップをさらに含む、請求項1に記載の方法。
【請求項７】
前記モバイルデバイスによって実行されるカレンダーアプリケーションから受信された情報に基づいて、前記ユーザの前記コンテキストを判定するステップをさらに含む、請求項1に記載の方法。
【請求項８】
モバイルデバイスと通信可能に結合されるカメラに、あるサンプリングレートでサンプリングさせるための手段と、
センサ入力に基づいて、前記モバイルデバイスのユーザのコンテキストを判定するための手段と、
連続して取得された画像の変化から動きを検出するための手段と、
前記検出された動きに基づき、複数のカメラから他のカメラを選択するための手段と、
前記判定された前記ユーザのコンテキストに基づいて、前記サンプリングレートを調整するための手段と
を備える、装置。
【請求項９】
前記カメラに、前記サンプリングレートでサンプリングさせるための前記手段が、前記カメラの前記選択に基づいて、前記カメラに、前記サンプリングレートでサンプリングさせるように構成される、請求項8に記載の装置。
【請求項１０】
前記ユーザの前記コンテキストを判定するための前記手段が、
前記モバイルデバイスの位置もしくは座標、
前記モバイルデバイスの前記ユーザに対する、前記モバイルデバイスの配置、
前記モバイルデバイスの前記ユーザが従事している活動、
前記モバイルデバイスの関連場所、または
前記モバイルデバイスの環境変化
の少なくとも1つを判定するための手段を備える、請求項9に記載の装置。
【請求項１１】
前記ユーザの前記コンテキストを判定するための前記手段が、前記ユーザが次の活動リスト、すなわち、会議中、電話中、一人でいる、テレビを見ている、娯楽中、読書中、筆記中、人と会っている、画面を見ている、プレゼンテーション中、食事中、買い物中、調理中、会話中、運動中、音楽を聞いている、または睡眠中から選択された少なくとも1つの活動に関与していることを判定するための手段を備える、請求項8に記載の装置。
【請求項１２】
前記サンプリングレートが、デフォルトレートを含み、
前記サンプリングレートを調整するための前記手段が、他の場合には前記デフォルトレートに従ってサンプリングされることになる1つまたは複数のサンプルを抑制するための手段を備える、請求項8に記載の装置。
【請求項１３】
前記モバイルデバイスによって実行されるカレンダーアプリケーションから受信された情報に基づいて、前記ユーザの前記コンテキストを判定するための手段をさらに備える、請求項8に記載の装置。
【請求項１４】
請求項8から13のいずれか一項に記載の装置であって、前記装置がモバイルデバイスをさらに含み、前記モバイルデバイスが、
メモリと、
前記メモリと結合された処理装置であって、
カメラに、あるサンプリングレートでサンプリングさせるための前記手段と、
コンテキストを判定するための前記手段と、
前記サンプリングレートを調整するための前記手段と
を含む、処理装置と
を備える、装置。
【請求項１５】
常時オンカメラのセンササンプリングを適合的に調節するための命令が埋め込まれた非一時的コンピュータ可読記録媒体であって、請求項1に記載の方法を実行するためのコンピュータ実行可能コードを含む、非一時的コンピュータ可読記録媒体。
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
種子のプライミング方法であって、該方法は、
前記種子が吸水の第二段階に入るのに必要な水の量の７５重量％以上を吸収するように、プライムされる種子を水溶液で濡らし、濡らす時間は、吸水の第三段階に入るのに必要な時間よりも短いことと、
前記種子の水分含有量（重量％、乾燥種子ベース）を一個１パーセント以上低減し、前記種子の残りの水分含有量が２５重量％以上となるように低減することと、
インキュベーションの間の前記種子の重量が、前記インキュベーションの前の前記種子の前記重量の８０％以上、例えば９０％以上、又は９５％以上に維持され、前記インキュベーションの間の前記種子の水分含有量（乾燥重量ベース）が、インキュベーション時間の２５％以上の間、２５重量％以上に維持されるように、前記種子をインキュベートすること、とを含む、種子のプライミング方法。
【請求項２】
プライムされる前記種子は、前記種子が吸水の第二段階に入るのに必要な水の９５重量％以上、例えば９７重量％以上、９９重量％以上、又は９９．５重量％以上を、前記種子が吸水するように濡らされる、請求項１に記載の種子のプライミング方法。
【請求項３】
プライムされる前記種子は、前記種子が前記吸水の第二段階に入るのに少なくとも十分な水を、前記種子が吸収するように濡らされる、請求項２に記載の種子のプライミング方法。
【請求項４】
濡らす継続時間は、前記吸水の第二段階に入るのに必要な時間よりも、１〜２０％、例えば２〜１０％、又は２〜５％長い、請求項３に記載の種子のプライミング方法。
【請求項５】
前記種子は、
トマトやコショウのような内胚乳種、
パインやトウヒのような裸子植物種、
レッドビートのような外胚乳種、及び／又は
人参や草等のような果皮（子嚢）を有する種子である、請求項１〜４のいずれか１項に記載の種子のプライミング方法。
【請求項６】
前記種子を濡らす工程は、前記種子を水溶液に浸漬することを含む、請求項１〜５のいずれか１項に記載の種子のプライミング方法。
【請求項７】
前記水溶液は、通気され、そして前記濡らす工程の間、継続的に又は断続的に、選択的に撹拌される、請求項６に記載の種子のプライミング方法。
【請求項８】
前記種子の水分含有量は、前記種子の残りの水分含有量が、前記種子が発芽を完了させるのに十分でないように、低減される、請求項１〜７のいずれか１項に記載の種子のプライミング方法。
【請求項９】
前記種子の前記水分含有量は、前記種子を濡らす間に増加した重量の１〜８０％、例えば１〜６０％、２〜３０％、２〜２０％、又は２〜８％が、濡らされた前記種子の水分を低減する工程で失われ、及び／又は
前記種子の重量は、濡らされた前記種子の前記水分を低減する前記工程で、１〜１０％、好ましくは２〜８％低減される、請求項１〜８のいずれか１項に記載の種子のプライミング方法。
【請求項１０】
前記水分は、前記種子に対して空気を吹き付けることで低減され、前記空気は４０％未満の相対湿度及び摂氏２５〜３０度の間の気温を有する、請求項１〜９のいずれか１項に記載の種子のプライミング方法。
【請求項１１】
前記水分を低減する工程の継続時間は、発芽を完了させるのに十分な水分を有している場合、同じ種類の種子が発芽するのに必要な時間の１／１０以下、例えば１／２０以下、１／５０以下又は１／１００以下であり、及び／又は
前記水分を低減する前記工程の継続時間は、前記インキュベーション工程の継続時間の１／１０以下、例えば１／２０、１／５０、又は１／１００以下である、請求項１〜１０のいずれか１項に記載の種子のプライミング方法。
【請求項１２】
前記種子をインキュベートすることは、相対湿度９５％以上１００％未満の空気の雰囲気下で前記種子をインキュベートすることを含む、請求項１〜１１のいずれか１項に記載の種子のプライミング方法。
【請求項１３】
前記インキュベーション工程中の前記雰囲気の前記相対湿度は、８０〜１００％の間、例えば８０％〜９５％未満、９５％以上１００％未満、又は１００％である、請求項１〜１１のいずれか１項に記載の種子のプライミング方法。
【請求項１４】
前記種子は、水に自由に接触できる種子にとって、吸水の第二段階及び第三段階それぞれに入るのに必要な時間の差以上の時間、インキュベートされる、請求項１〜１３のいずれか１項に記載の種子のプライミング方法。
【請求項１５】
前記インキュベーションの継続時間は、水に自由に接触できる種子にとって、前記吸水の第二段階及び第三段階それぞれに入るのに必要な前記時間の前記差に少なくとも対応し、しかし前記差の３倍より長くなく、例えば２倍より長くない、請求項１４に記載の種子のプライミング方法。
【請求項１６】
前記種子は、前記インキュベーション工程の間回転され、及び／又は
前記雰囲気は、前記インキュベーション工程の間、継続的に又は断続的に、入れ替えられる、請求項１〜１５のいずれか１項に記載の種子のプライミング方法。
【請求項１７】
前記インキュベーション中の前記種子の重量は、前記インキュベーション前の前記種子の前記重量の２０％、例えば１０％、５．０又は２．５％以内である、請求項１〜１６のいずれか１項に記載の種子のプライミング方法。
【請求項１８】
前記種子のインキュベーション工程の後に、前記種子の水分を低減する工程を含み、
前記水分含有量は、前記種子のプライミング前と少なくとも同じか、好ましくはそれより低いレベルまで低減される、請求項１〜１７のいずれか１項に記載の種子のプライミング方法。